(57)【要約】【課題】フットプリントの削減を図ることのできるプローブ装置を提供する。【解決手段】載置台が設けられたプローブ検査室と、収納容器から取出した被検査基板を前記プローブ検査室内の載置台上へ搬送する搬送機構を有するローダ室とを備え、前記載置台に載置された被検査基板上の電極パッドと、プローブカードのプローブとを接触させて、前記被検査基板の被検査チップの電気的特性を測定するプローブ装置において、前記プローブ検査室の筺体の側壁部に、前面から側面側に回り込んで開口する、屈曲又は湾曲した形状の搬入出口を設けている。【選択図】図１
2011100883.tif 000002
【特許請求の範囲】
【請求項１】
載置台が設けられたプローブ検査室と、
収納容器から取出した被検査基板を前記プローブ検査室内の載置台上へ搬送する搬送機構を有するローダ室とを備え、
前記載置台に載置された被検査基板上の電極パッドと、プローブカードのプローブとを接触させて、前記被検査基板の被検査チップの電気的特性を測定するプローブ装置において、
前記プローブ検査室の筺体の側壁に、前面から側面側に回り込んで開口する、屈曲又は湾曲した形状の搬入出口を設けたことを特徴とするプローブ装置。
【請求項２】
前記搬入出口と同様に屈曲又は湾曲した形状とされ、当該搬入出口を開閉するシャッタ部材を設けたことを特徴とする請求項１に記載のプローブ装置。
【請求項３】
前記シャッタ部材は、エアシリンダによって開閉されることを特徴とする請求項２に記載のプローブ装置。
【請求項４】
前記筺体は、前記側壁の前面と側面との接続部に、当該接続部を面取りするように前面と側面とを接続する角部が介在した形状となっており、前記搬入出口は、前記筺体前面から、前記角部にかけて開口するよう形成されていることを特徴とする請求項１〜３いずれか１項に記載のプローブ装置。
【発明の詳細な説明】
【技術分野】
【０００１】
本発明は、プローブカードのプローブを半導体ウエハ（以下ウエハという。）等の被検査基板の被検査チップの電極パッドに接触させて、被検査チップの電気的測定を行うプローブ装置に関する。
【背景技術】
【０００２】
従来、プローブ装置では、プローブカードのプローブ針等のプローブを半導体チップの電極パッドに接触させて電気的特性を調べるプローブテストを行っている。このプローブ装置は、プローブカード及び載置台を有するプローブ検査室と、ウエハキャリア（ＦＯＵＰ）が収容されるロードポートとプローブ検査室間でウエハを搬送する基板搬送機構が設けられたローダ室とを備えている。
【０００３】
そして、ロードポート内に搬入されたウエハキャリアから基板搬送機構がウエハを取り出し、搬送室内のプリアライメント機構、あるいは基板搬送機構に設けられたプリアライメント機構により、プリアライメントを行った後、当該ウエハをプローブ検査室内の載置台に搬送している。
【０００４】
基板搬送機構としては、例えば２枚の基板支持部材であるアーム体を備えたものが用いられ、プローブ検査室でウエハプローブテストが行われている間に、一方のアーム体で次に検査を行うウエハを取り出してプリアライメントを行い、プローブ検査室内のウエハの検査が終了すると、他方のアーム体で検査済みのウエハを受け取り、一方のアーム体に支持されている未検査のウエハを載置台に受け渡す。
【０００５】
ところで、基板搬送機構のアーム上に保持されたウエハは、プローブ検査室の正面に設けられた搬入出口を通してプローブ検査室内にある載置台に搬送される。その際、基板搬送機構は、各プローブ検査室の正面位置に設ける必要がある。
【０００６】
また、ひとつの基板搬送機構と複数のプローブ検査室を備えたプローブ装置が知られている（例えば、特許文献１。）。このようなプローブ装置では、直線上に配設された複数のプローブ検査室の前方に設けられたレール上を基板搬送機構が左右に移動するようになっている。図９に示すように、各プローブ検査室２１へウエハを搬送する際は、各プローブ検査室２１の基板搬入出口２３の正面位置まで基板搬送機構３を移動させる必要があった。なお、図９において、３５，３６は、基板搬送機構３においてウエハを支持するための第１、第２アーム体である。
【先行技術文献】
【特許文献】
【０００７】
【特許文献１】特開平３−２８９１５２号公報
【発明の概要】
【発明が解決しようとする課題】
【０００８】
上記のプローブ装置では、さらにフットプリントを減少させてクリーンルーム内の占有面積を減少させることが求められている。また、プローブ検査室内の雰囲気を清浄に維持して清浄雰囲気で被検査基板の検査を行えるようにすることも求められている。
【０００９】
本発明は、このような事情に対処してなされたものであり、その目的は、フットプリントの削減を図ることのできるプローブ装置を提供することにある。また、本発明の他の目的は、プローブ検査室内の雰囲気を清浄に維持することができるプローブ装置を提供することにある。
【課題を解決するための手段】
【００１０】
本発明に係るプローブ装置は、載置台が設けられたプローブ検査室と、収納容器から取出した被検査基板を前記プローブ検査室内の載置台上へ搬送する搬送機構を有するローダ室とを備え、前記載置台に載置された被検査基板上の電極パッドと、プローブカードのプローブとを接触させて、前記被検査基板の被検査チップの電気的特性を測定するプローブ装置において、前記プローブ検査室の筺体の側壁に、前面から側面側に回り込んで開口する、屈曲又は湾曲した形状の搬入出口を設けたことを特徴とする。
【発明の効果】
【００１１】
本発明のプローブ装置では、ウエハをプローブ検査室の斜め前方から内部へ搬入または搬出することが可能となり、フットプリントが最小となるように装置全体を構成することができる。また、屈曲した開口部を開閉するシャッタ部材を設けることにより、各プローブ検査室内を密閉して外気から遮蔽することで、パーティクルの侵入を防止したり、内部の断熱効果を得ることができる。
【図面の簡単な説明】
【００１２】
【図１】本発明の一実施形態のプローブ装置の概略を示す斜視図。
【図２】本実施形態のプローブ装置の概略を示す平面図。
【図３】本実施形態のプローブ装置の概略を示す側面図。
【図４】本実施形態のウエハ搬送アームの概略を示す斜視図。
【図５】本実施形態のプローブ検査室内部の概略を示す斜視図。
【図６】本実施形態の搬入出口の外観を示す斜視図。
【図７】本実施形態の基板搬送方法を示す説明図。
【図８】第２の実施形態のプローブ装置の概略を示す斜視図。
【図９】従来のプローブ装置並びに基板搬送方法を示す説明図。
【発明を実施するための形態】
【００１３】
以下、本発明の一実施形態のプローブ装置について、図１ないし図７を参照しながら説明する。図1に示すように、プローブ装置は、多数の被検査チップが配列された基板であるウエハＷの受け渡しを行うためのローダ室１と、ウエハＷに対してプロービングを行うプローブ装置本体２とを備えている。先ず、ローダ室１及びプローブ装置本体２の全体のレイアウトについて説明する。
【００１４】
ローダ室１は、複数收のウエハＷが収納された密閉型搬送容器であるＦＯＵＰ２０が搬入され、互いにＹ方向(図示左右方向)に離間して対向配置された第１のロードポート１１及び第２のロードポート１２と、これらロードポート１１，１２の間に配置された搬送室１０とを備えている。
【００１５】
ロードポート１１，１２は、各々ケーシング１３，１４を備え、ロードポート１１，１２の図示Ｘ方向に設けられた搬入口１５，１６から、ＦＯＵＰ２０が、ケーシング１３，１４内に搬入されるようになっている。搬入されたＦＯＵＰ２０は、ロードポート１１，１２に設けられている図示しない蓋体開閉手段により、蓋体が外されてロードポート１１,１２内の側壁に蓋体が保持されるようになっており、蓋体を外されたＦＯＵＰ２０は回転され、開口部が搬送室１０側に向けられる。
【００１６】
ローダ室１には、図２に示すようにプローブ装置を制御する制御部５が設けられている。制御部５は、例えばコンピュータからなり、メモリ、ＣＰＵからなるデータ処理部を具備しており、この制御部５には、プローブテストプログラム５０等の制御プログラムがインプットされている。プローブテストプログラム５０には、ＦＯＵＰ２０がロードポート１１，１２に搬入され、ＦＯＵＰ２０からウエハＷがプローブ装置本体２に搬入されてプローブテストが行われ、その後ウエハＷがＦＯＵＰ２０に戻されてＦＯＵＰ２０が搬出されるまでのウエハＷの搬送スケジュールや、一連の各部の動作を制御するためのステップ群が組まれている。さらに、処理パラメータの入力操作や表示に関するプログラムも含めて、例えばフレキシブルディスク、コンパクトディスク、ＭＯ(光磁気ディスク)、ハードディスクなどの記憶媒体に格納されて制御部５にインストールされている。
【００１７】
プローブ装置本体２は、ローダ室１と図示Ｘ軸方向に並ぶように当該ローダ室１に隣接して配置され、Ｙ軸方向に複数台（例えば４台）並ぶプローブ検査室２１を備えている。なお、各プローブ検査室２１の上方には、図示しない検査用のテストヘッドが装着されるようになっている。
【００１８】
プローブ検査室２１は、図３に示すように筐体２２を備えており、筐体２２の内部にステージユニット２４と上側撮像部９とが設けられている。ステージユニット２４は、Ｘ、Ｙ、Ｚ（上下）軸方向に移動自在、即ち水平面上で縦横に移動自在かつ高さ方向に移動自在であって、更に上部が鉛直軸回りに回転する。このステージユニット２４の上部に、ウエハＷを載置するための載置台であり、真空吸着機能を有するウエハチャック４が設けられている。そして、ステージユニット２４の側部には、プローブカード６を撮像するためのマイクロカメラ等を備えた下側撮像部８が設けられている(図２参照)。
【００１９】
図３に示すように、上側撮像部９は、ウエハチャック４に載置されているウエハＷを撮像するためのマイクロカメラ等を備えている。ウエハチャック４及び上側撮像部９の移動領域の上方には、筐体２２の天井部を構成するヘッドプレート２５が設けられ、プローブカード６は、このヘッドプレート２５に装着保持されている。
【００２０】
プローブカード６の上面側には、図示しないテストヘッドが取り付けられ、プローブカード６とテストヘッドは、図示しないポゴピンユニットを介して電気的に接続されている。またプローブカード６の下面側には、上面側の電極群に夫々電気的に接続されたプローブ針７が、ウエハＷの電極パッドの配列に対応して、例えばプローブカード６の全面に設けられている。
【００２１】
搬送室１０には、図３に示すように、ウエハＷを搬送する基板搬送機構３が設けられている。基板搬送機構３は、鉛直軸回りに回転自在、昇降自在及び図示Ｙ方向に移動自在な搬送基台３０上に設けられ、進退可能な第１アーム体３５と第２アーム体３６との２枚のアーム体を備えている。図３には、Ｙ方向に伸びるレール１９に沿って移動する基台移動部３３と、基台移動部３３に対して昇降する基台昇降部３２と、基台昇降部３２に設けられた回転部３１が示されている。
【００２２】
図４に示すように、第１アーム体３５と第２アーム体３６には、先端側にＵ字状の切り欠き部５５，５６が形成されている。そして、搬送基台３０の上面におけるアーム体の左右両端には一対のガイドレール３７が平行に設けられており、第1アーム体３５と第２アーム体３６とは、夫々アームガイド３８，３９を介して、これらガイドレール３７に沿って前後に移動する。
【００２３】
また、搬送基台３０には、第１アーム体３５、若しくは第２アーム体３６に載置されているウエハＷに対してプリアライメントするためのプリアライメント機構４０が設けられている。このプリアライメント機構４０は、図４に示すように、チャック部４１、センサブリッジ４２、受光センサ４３、光通過部４４を備えており、第１アーム体３５、第２アーム体３６の下方には図示しない発光部が設けられている。
【００２４】
チャック部４１は、ウエハＷを回転させる回転ステージであり、チャック部４１の回転中心は、搬送基台３０上を後退した第１アーム体３５、第２アーム体３６上のウエハＷの中心に対応する位置に設定されている。このチャック部４１は、図示Ｚ軸方向に昇降する昇降部を備えており、プリアライメントを行わない待機状態にあるときは、下降して第１アーム体３５、第２アーム体３６の進退に干渉しない位置で停止する。そしてプリアライメントを行うときは、上昇して第１アーム体３５若しくは第２アーム体３６上からウエハＷを僅かに持ち上げて回転できるように構成されている。
【００２５】
搬送基台３０の上面には、第１アーム体３５、第２アーム体３６に支持されているウエハＷと干渉しないセンサブリッジ４２が設けられており、このセンサブリッジ４２には、図示しない発光部から照射されてウエハＷを通過した光を受け取る受光センサ４３が搭載されている。そして第１アーム体３５、第２アーム体３６には、図示Ｘ軸方向に伸びる光透過部４４が形成されており、発光部からの光が透過部４４を通って、チャック部４１により第１アーム体３５若しくは第２アーム体３６から持ち上げられているウエハＷの周縁部(端部)を含む領域に、下方から照射される。
【００２６】
次に、本実施形態に係るウエハ搬入出口の構成について説明する。図５に示すように、ウエハチャック４は、ウエハＷの受け渡しを行うための受け渡し位置と、ウエハＷ表面の撮像位置と、プローブカード６のプローブ針７にウエハＷをコンタクトさせる検査位置との間で自在に移動できるようにＸ,Ｙステージ上に設けられている。Ｘ,Ｙステージ及びウエハチャック４を収容する筐体２２を構成する側壁のうち、搬送室１０側（前面側）の側壁２２ａの、隣接するプローブ検査室２１と接する領域には、面取り形状の角部２７が形成されている。すなわち、この角部２７は、前面側の側壁２２ａと、隣接するプローブ検査室２１との間の側壁とを接続する角の部分を面取りするように形成されている。そして、筐体２２の側壁には、筐体２２の前面の側壁２２ａから角部２７に渡って、前面から側面側に回り込むように開口し、屈曲した形状の搬入出口２３が形成されている。この搬入出口２３を介して搬送室１０の内部と筐体２２の内部とが接続されている。
【００２７】
図６に示すように、屈曲した形状の搬入出口２３には、搬入出口２３と同様に屈曲した形状とされたシャッタ部材１７が設けられている。このシャッタ部材１７は、シリンダ１８により昇降されて、搬入出口２３の開閉が行われる。シャッタ部材１７により、ウエハＷの搬入出時以外は、搬入出口２３が塞がれてプローブ検査室２１の内部が密閉状態に維持される。ウエハＷを筐体２２内のウエハチャック４上へ搬送する際には、シリンダ１８が作動しシャッタ部材１７が降下して搬入出口２３が開放される。
【００２８】
次に、このプローブ装置で行われるプローブテストの一連の流れについて説明する。まず、基板搬送機構３により、ウエハＷをロードポート１１，１２に載置されているＦＯＵＰ２０から搬出して、既に詳述したように基板搬送機構３に組み合わせて設けられたプリアライメント機構４０によりプリアライメントを行った後、シャッタ部材１７が降下して搬入出口２３が開放され、搬入出口２３を介して、プローブ検査室２１のウエハチャック４上にウエハＷを搬送する。
【００２９】
ここで、ウエハＷの搬入が完了した後に、シャッタ部材１７を閉じることにより、プローブ検査室２１の内部を気密状態にすることができる。これにより、ウエハ搬送時の熱や露点の悪化を軽減することができる。
【００３０】
図７（ａ）に示すように、ウエハＷの搬入出口２３を隣接するプローブ検査室２１間で近接形成することにより、２つのプローブ検査室２１に対する基板搬送機構３のウエハローディング位置を両ステージの略中央の1箇所にすることができる。
【００３１】
更に、図７（ｂ）に示すように、筐体側壁(遮蔽板)を介して隣接する２つのプローブ検査室２１の角部２７を、互いに向かい合う面取り形状に形成することにより、一箇所に固定した基板搬送機構３からウエハＷをより容易に搬入出することが可能となる。すなわち、中央のローディング位置から両プローブ検査室２１のウエハチャック４へウエハＷを搬送する際に、前面の搬入出口では、図７（ａ）に示すように、搬入出口の幅を充分に確保する必要があり、また、アームのストロークも充分に確保する必要がある。そこで、図７（ｂ）に示す形状にすることにより、最短のアームストロークで、搬送アームと搬入出口２３との干渉を避けて、ウエハＷを両プローブ検査室２１へ搬送することが可能となる。
【００３２】
このように、一箇所から２つのウエハチャック４へウエハＷを搬送することにより、基板搬送機構３の移動距離を小さくできて、スループットが改善されると共に、基板搬送機構３のサイズを小さくすることもできる。
【００３３】
上記動作を繰り返すことにより、全部のプローブ検査室２１にウエハＷを搬送し、各プローブ検査室２１でプローブテストが行われる。その間、基板搬送機構３は、第1アーム体３５で次に検査を行うウエハＷを搬出してプリアライメントを行い、搬送室１０内で待機する。
【００３４】
ウエハＷが搬入された第１のプローブ検査室２１では、下側撮像部８でプローブカード６を撮像すると共に、上側撮像部９でウエハチャック４上のウエハＷを撮像して、プローブ針７の先端位置とウエハＷの表面の図示しない電極パッドの位置の撮像データを取得し、その撮像データを基にプローブ針７と電極パッドとを接触させるコンタクト座標を求めてそのコンタクト座標にウエハＷを移動させる。
【００３５】
そして、プローブ針７と電極パッドとをコンタクトさせてプローブテストが終了すると、ウエハチャック４が搬入出口２３の近傍に移動する。このとき基板搬送機構３の第２アーム体３６には、ウエハＷが乗っていないので、第２アーム体３６で検査済みのウエハＷを受け取ると共に、第１アーム体３５に支持されている未検査のウエハＷをウエハチャック４に受け渡す。その後基板搬送機構３は検査済みのウエハＷをＦＯＵＰ２０に戻すと共に、ＦＯＵＰ２０にまだ未検査のウエハＷが収納されている場合には、次に検査対象となるウエハＷを搬出する。
【００３６】
この一連の工程は、他の第２〜第４のプローブ検査室２１でも同様に行われる。以上の工程を経て本実施形態のプローブ装置では、４台のプローブ検査室２１に１つの基板搬送機構３で順次ウエハＷを搬送してプローブテストを行う。上述したプローブテストは、プローブテストプログラム５０に基づいて制御部５が各ユニットを制御することにより行われている。なお、本実施形態では、プローブ検査室２１は４台設けられているが、偶数台であれば何台でもよい。
【００３７】
次に第８図を参照しながら、第２の実施形態について説明する。この実施形態に係るプローブ装置は、ＦＯＵＰ２０を収容する収容部と基板搬送機構３を備えたローダ室１と、１つのプローブ検査室２１とから構成されている。プローブ検査室２１の筐体２２の前面角部２７には、第1の実施形態と同様の屈曲形成された搬入出口２３が設けられている。
【００３８】
プローブ検査室２１の斜め前方に設けられた基板搬送機構３は、横方向には移動せず、θ回転と第１アーム体３５、第２アーム体３６の伸縮により、ＦＯＵＰ２０から取出したウエハＷを、搬入出口２３を通してプローブ検査室２１の内部に搬送または搬出するように構成されている。その他の構成については、第1の実施形態と同じであり、説明は省略する。
【００３９】
このように屈曲した形状の搬入出口２３をプローブ検査室２１に設けることにより、プローブ検査室２１と基板搬送機構３とＦＯＵＰ２０の収容部とを自由に配置することが可能となり、装置全体のフットプリントを最小にすることが可能となる。
【００４０】
なお、上述した第１及び第２の実施形態において、プローブ検査室２１の搬入出口２３は屈曲形状としたが湾曲形状でもよい。また、シャッタ部材１７の開閉駆動機構にはシリンダ１８を用いているが、モーターや他の駆動機構を用いてもよい。さらに、シャッタ部材１７により密閉されたプローブ検査室２１内にドライエアーを充満させるようにして、内部の結露を防止するように構成してもよい。
【符号の説明】
【００４１】
１……ローダ室、２……プローブ装置本体、３……基板搬送機構、４……ウエハチャック(載置台)、１０……搬送室、２０……ＦＯＵＰ（収納容器）、２１……プローブ検査室、２２……筺体、２２ａ……側壁、２３……搬入出口、２４……ステージユニット、２７……角部、３５……第１アーム体、３６……第２アーム体。
【図１】
2011100883.tif 000003
【図２】
2011100883.tif 000004
【図３】
2011100883.tif 000005
【図４】
2011100883.tif 000006
【図５】
2011100883.tif 000007
【図６】
2011100883.tif 000008
【図７】
2011100883.tif 000009
【図８】
2011100883.tif 000010
【図９】
2011100883.tif 000011